(57)【要約】【課題】小型かつ軽量で簡単に取り外しができない係止機構付き留め具を提供する。【解決手段】雌ホックと雄ホックとを着脱する留め具であって、前記雌ホックは内部に雄ホックに係合する係止部材と、該係止部材を雄ホックに係合した状態で係止するストッパーと、該ストッパーを係止状態に付勢する板ばねとを具備し、該板ばねが円形板状体の中央部をスパイラル状または放射状に切断して形成されており、該ストッパーと板ばねを磁性材料から形成し磁石の磁力でストッパーの係止状態を開放させることにより、雌ホックと雄ホックとを外すことを特徴とする係止機構付き留め具。【選択図】図１
2007301164.tif 000002
【特許請求の範囲】
【請求項１】
雌ホックと雄ホックとを着脱する留め具であって、前記雌ホックは内部に雄ホックに係合する係止部材と、該係止部材を雄ホックに係合した状態で係止するストッパーと、該ストッパーを係止状態に付勢する板ばねとを具備し、ストッパーの係止状態を開放させることにより、雌ホックと雄ホックとを外すことができる留め具であって、前記板ばねが円形板状体の中央部をスパイラル状または放射状に切断して形成されていることを特徴とする係止機構付き留め具。
【請求項２】
前記ストッパーと板ばねを磁性材料から形成し、磁石の磁力でストッパーの係止状態を開放させることにより雌ホックと雄ホックとを外す請求項１に記載の係止機構付き留め具。
【請求項３】
前記雌ホックの係止部材、ストッパー及び板ばねは、外ケースと内ケースとの間に組み込まれており、該外ケースを非磁性材料から形成して外ケースの外側から磁石の磁力を前記ストッパー及び板ばねに作用させることにより、板ばねの弾性力の一部または全部を磁力で相殺させながらストッパーの係止部材に対する係止を開放させる請求項２に記載の係止機構付き留め具。
【請求項４】
前記係合部材は雄ホックのフック部に係合するための係止部を備えており、該係止部材の係止部がキャップ状のばね片の先端を曲げ加工してなる彎曲部、又はコップ状体の側壁部の周方向に設けられた複数の切欠き部に内壁面から出没可能に装着されたリングばね若しくはボールによって形成されている請求項１、２又は３に記載の係止機構付き留め具。
【請求項５】
前記板ばねがストッパーと外ケースとの間に設けられている請求項１〜４のいずれかに記載の係止機構付き留め具。
【請求項６】
前記雌ホックは係合部材を雄ホック側に付勢するためのばね部材を有している請求項１〜５のいずれかに記載の係止機構付き留め具。
【請求項７】
請求項１〜６のいずれかの留め具が、介護用ねまきの留め具、介護手袋用の留め具又はかばん等の簡易ロック付き留め具である係止機構付き留め具。
【請求項８】
請求項１〜６のいずれかの留め具が開閉スライダ用留め具として使用されている介護用ねまき。
【請求項９】
請求項１〜６のいずれかの留め具が蓋の留め具として使用されているかばん。
【発明の詳細な説明】
【技術分野】
【０００１】
本発明は、簡単に取り外しができない係止機構付き留め具に関し、特に介護用ねまきの開閉スライダ用留め具、手袋の取り外し防止用留め具又はかばん等の簡易ロック付き留め具として有用な係止機構付き留め具に関する。
【背景技術】
【０００２】
一般に痴呆症患者には、不潔行為を未然に防ぐために、ロック付きねまき又はロック付きつなぎねまき（以下、ロック付きねまきと総称する）が着用されることがある。このロック付きねまきの一つとして、ねまきの袖、フロント、股部などにロック機能ファスナーを取り付けたものが知られている。このロック機能ファスナーは、ファスナーの閉終端に例えばロック付きボタンを設けてロックを解除しないとボタンが外せなくなっており、したがってファスナーも開けられないというものである。
【０００３】
このロック付きボタンは雌ホックと雄ホックとからなる押しボタンタイプのもで、一旦留められた雌ホックと雄ホックは、通常のホックのように単純に両者を引き離しても、雌ホックの係止部材が雄ホックのフック部に係止されているため外すことが不可能であり、両者を外すには、雌ホックの中心部を指で強く押しその係止部材を拡開させて雄ホックのフック部から離脱させることが必要である。
【０００４】
また、特許文献１には、受け金具と、該受け金具に係合するラッチと、受け金具とラッチとを係合した状態で係止する係止部材とを具備し、該係止部材を磁石の磁力で動作させることにより、受け金具とラッチとの係止を開放させて両者を取り外す係止機構付き留め具、および該留め具を介護用ねまきや手袋、またはかばんなどの留め具として使用することについて記載されている。
【０００５】
【特許文献１】特開２００５−２３０３５８号公報
【発明の開示】
【発明が解決しようとする課題】
【０００６】
従来の押しボタンタイプの留め具は、上記したように単純に引き離しても外れないため、この留め具をつけたねまきは、通常のねまきに比べると簡単にファスナーを開けることができないように工夫されており、ロック付きねまきとして一応機能する。しかし、ボタンの中央部を押すとロックが外れるために、何かの拍子にこの中央部が押されるとロックが勝手に外れたり、あるいは痴呆症患者が中央部を押すとロックが外れることを一度知ってしまうとロックを自分で外してしまうために、ロック付きねまきとしての機能が充分に果たせなくなる。その結果、不潔行為を未然あるいは完全に防ぐことができないという問題があった。
【０００７】
また、特許文献１の留め具では、磁石キーがないと受け金具とラッチとを離脱させることができないが、ボタンタイプでないため留め具の小型化が困難であり、ロック付きねまきなどの簡易留め具として使い勝手が充分に満足できるものではなかった。
【０００８】
本発明の目的は、このような課題を解消できる簡単に取り外しができない小型の係止機構付き留め具、特に介護用ねまきの開閉スライダ用留め具、手袋用留め具又はかばん等の簡易ロック付き留め具として有用な係止機構付き留め具を提供することである。
【課題を解決するための手段】
【０００９】
本発明者は、上記の課題を解決するため、雌ホックの係止部材を雄ホックに係合させた状態でストッパーで係止し、この係止が開放されないようにばねでストッパーを付勢する留め具について、特にストッパーを磁性材料で形成して磁石の磁力でストッパーの係止を開放させることにより、雌ホックと雄ホックとを外す留め具について検討した結果、ストッパーを係止状態に付勢するばねとして、磁性材料で形成した円板状の板ばねを使用することにより、留め具を小型化することができ、また係止部材に対するストッパーの係止を磁石の磁力の作用でより円滑かつ確実に開放させることができることを見出し、本発明に至ったものである。すなわち、
本発明は、雌ホックと雄ホックとを着脱する留め具であって、前記雌ホックは内部に雄ホックに係合する係止部材と、該係止部材を雄ホックに係合した状態で係止するストッパーと、該ストッパーを係止状態に付勢する板ばねとを具備し、ストッパーの係止状態を開放させることにより、雌ホックと雄ホックとを外すことができる留め具であって、前記板ばねが円形板状体の中央部をスパイラル状または放射状に切断して形成されていることを特徴とする係止機構付き留め具（以下、本発明の留め具とする）を提供する。
【００１０】
本発明の留め具では、前記ストッパーと板ばねを磁性材料から形成し、磁石の磁力でストッパーの係止状態を開放させることが好ましい。
【００１１】
本発明の留め具において、前記雌ホックの係止部材、ストッパー及び板ばねは、外ケースと内ケースとの間に組み込まれており、該外ケースを非磁性材料から形成して外ケースの外側から磁石の磁力を前記ストッパー及び板ばねに作用させることにより、板ばねの弾性力の一部又は全部を磁力で相殺させながらストッパーの係止部材に対する係止を開放させることが好ましい。
【００１２】
本発明の留め具において、前記係合部材は雄ホックのフック部に係合するための係止部を備えており、該係止部材の係止部がキャップ状のばね片の先端を曲げ加工してなる彎曲部、又はコップ状体の側壁部の周方向に設けられた複数の切欠き部に内壁面から出没可能に装着されたリングばね若しくはボールによって形成されていることが好ましい。
【００１３】
さらに、本発明の好ましい留め具では、板ばねが前記ストッパーと外ケースとの間に設けられることが好ましい。また、前記雌ホックは係合部材を雄ホック側に付勢するためのばね部材を有していることが好ましい。
【００１４】
本発明は、本発明の留め具を使用した介護用ねまき、介護用手袋又はかばん等を提供する。
【発明の効果】
【００１５】
本発明によれば、雌ホックの係止部材を雄ホックに契合した状態で係止するストッパーを係止状態に付勢する板ばねがスパイラル状または放射状に形成された板状体であるので、留め具の小型化と軽量化およびコストの低減が得られる。
【００１６】
また、前記ストッパーと板ばねとを磁性材料で形成し、係止部材の係止を磁石の磁力で開放させるように構成すると、磁石以外の手段による雄ホックと雌ホックの取り外しを防止でき、且つ磁性材料の板ばねの全面に磁力が作用し、板ばねの弾性力を相殺するように働くので、雌ホックの外側から磁石の磁力を作用させるだけで係止部材に対するストッパーの開放を円滑かつ確実に行なうことができる。これにより、雄ホックと雌ホックの取り外しの作業負担と手間が軽減され、利便性の優れる留め具が得られる。
【００１７】
また、本発明の留め具は、雄ホックと雌ホックからなるホックタイプの留め具であるので、係止機構を備えた留め具であるにも拘らず両ホックの取り付けおよびその着脱を容易にできる。
【発明を実施するための最良の形態】
【００１８】
本発明の留め具は、雄ホックと雌ホックとによって構成されるホックタイプの留め具である。本発明の留め具において、雌ホックは雄ホックと留めた状態に契合するための係止部材と、該係止部材を雄ホックに契合した状態で係止するストッパーと、該ストッパーを係止状態に付勢する板ばねとを具備し、前記板ばねが円形板状体の中央部をスパイラル状または放射状に切断して弾性体に形成されていることを特徴とする。
【００１９】
そして、本発明の好ましい実施の形態では、前記ストッパーと板ばねとを磁性材料で形成して磁石の磁力を該ストッパーと板ばねに作用させることによって前記係止を開放させ、雄ホックと雌ホックとが取り外し可能に構成されている。
【００２０】
上記雄ホックと雌ホックは本発明の留め具で留める物品に対で取り付けられ、両者を嵌着することにより留め具としての機能が得られる。ここで、本発明の留め具で留めるとは、雄ホックと雌ホックとが契合している状態を指し、この機能は雌ホックの係止部材を雄ホックのフック部に契合させることによって得られる。そして、雌ホックの係止部材をストッパーで雄ホックのフック部に契合した状態で係止することによって、雌ホックと雄ホックとは離脱しない状態に、すなわち取り外しできない状態に留められ、ストッパーによる係止を開放すれば、雄ホックと雌ホックとを取り外すことができる。
【００２１】
次に、本発明を図面に基づいて具体的に説明する。図面は本発明の好ましい実施形態である、雄ホックと雌ホックとが磁石の磁力の作用で取り外し可能な留め具を例示したものであるが、本発明は例示の図面とその説明に限定されない。また、図面の同一の部品には、同一符号を付して説明するとともに、その材質も特に断らない限り同じであるので、その説明を省略することがある。
【００２２】
図１は、雌ホック１と雄ホック２とが嵌着した状態の断面図を示す。この状態で雌ホック１と雄ホック２は離脱しないように係止部材６がストッパー５により係止されている。すなわち、雌ホック１は、留め鋲部１４により布服等１１に取り付けられた外ケース３と内ケース４の間に、係止部材６、ストッパー５および板ばね１２を組み込んで構成されており、雄ホック２のフック部７に契合した係止部材６をストッパー５で係止し、更にこの係止が開放されないようにストッパー５を板ばね１２で付勢している。雄ホック２はフック部７が取付け部１３によって布服等１１に取り付けられており、該フック部７に雌ホック１の係止部材６の係止部が契合している。
【００２３】
次に、上記雌ホック１と雄ホック２を図２に従って詳細に説明する。図２は雌ホック１と雄ホック２の分解図である。図２に示すように、雄ホック２はフック部７と取付け部１３とで構成されており、例えば両者の間に布服等を挟んだ状態で結合することにより得られる。フック部７の先端部は、フック部７を雌ホック１の係止部材内に挿入して契合させるとき、係止部材６の係止部を横方向に押し広げながら挿入できるように外側から内側に向かって先細の形状に成形されており、さらに該先端部から少し離れたところに前記係止部材６の係止部が契合するための係止溝９が設けられている。
【００２４】
一方、本例の雌ホック１は外ケース３と内ケース４との間にストッパー５、係止部材６、ばね部材１５および板ばね１２を組み込んだ後、外ケース３と内ケース４とを留め鋲部１４で結合することにより得られる。具体的には内ケース４内に挿入された筒状のストッパー５の内部に係止部材６を組み込み、該係止部材６との間にばね部材１５を介在させてその外側から（図２では下側から）板ばね１２を設置し、該板ばねの外周縁部を前記ストッパー５に接合させた状態（図１参照）で外ケース３を被冠して内ケース４と結合する。かくして、係止部材６およびストッパー５は、内ケース４と外ケース３の内部にそれぞればね部材１５および板ばね１２によって弾性的に保持される。ばね部材１５は係止部材６の保持を安定させ、雄ホックとの着脱を円滑にするのに有効であるが、省くことも可能である。また、ばね部材１５としては本例のコイルばね以外の例えば板ばね、竹の子ばね、うず巻ばね、線巻きばね、線ばね、ゴム弾性体などを用いることもできる。次に、雌ホック１の各構成部材について説明する。
【００２５】
本例の係止部材６はコップ状体２０とリングばね１０によって構成される。すなわち、コップ状体２０の側壁には例えば３個の細長の切欠き孔２１が周方向に等間隔で設けられており、該切欠き孔２１にリングばね１０をコップ状体２０の外側から装着することにより係止部を形成している。このために、リングばね１０はコップ状体２０の切欠き孔２１に嵌合される小径部１８とコップ状体２０の外側に嵌着される大径部１９とを備えている。この小径部１８は、係止部材６の係止部として普段はコップ状体２０の内壁面より内側に突出しているが、コップ状体の内方向から外力を受けると切欠き孔２１内に弾性的に没入可能になっている。上記において、リングばね１０の位置を雄ホック２の係止溝９（図１参照）に整合するように決めることにより、係止部材６のコップ状体２０に雄ホック２のフック部７が挿入されると、リングばね１０の小径部１８は押し広げられ、挿入された雄ホック２の係止溝９に契合される。
【００２６】
ストッパー５は、雄ホック２のフック部７に契合された前記係止部材６がフック部から離脱しないように係止し、また係止部材６を前記フック部７から離脱し雌ホック１と雄ホック２とを外すときには、該係止を磁石の磁力によって開放させる役割を持っている。本例のストッパー５は、上記係止部材６を内部に収容できる筒状をなしており、その内側で係止部材６の係止部（リングばね１０部）を外側から係止する（図１参照）。ストッパー５の内側には係止部材６の係止部を収容するための凹み部１６（図１参照）が周方向に形成されている。この凹み部１６は、雌ホック１の係止部材６と雄ホック２のフック部７とを嵌着する際、係止部材６のリングばね１０（正確には大径部１９）を一時的に逃すためのスペースである。したがって、凹み部１６の形状は係止部材６の大径部１９を収容できさえすればよく特定されない。
【００２７】
本例においてストッパー５は磁性材料で形成される。ストッパー５を磁性材料で形成することにより、係止部材６を係止しているストッパー５を磁石８（図１参照）の磁力により係止を開放させ、雌ホック１を雄ホック２から外すことができる。ストッパー５に適合する磁性材料としては、鉄、１８−８ステンレス鋼以外のステンレス鋼（以下、磁性ステンレス鋼とする）などを挙げることができる。なかでも磁性ステンレス鋼は防錆に優れ、経済的にも好ましい。なお、ストッパー５は通常全体を磁性材料で形成するが、目的を達成できる範囲でその一部を非磁性材料で形成することも可能である。
【００２８】
板ばね１２は、上記ストッパー５を係止状態に付勢する役割を持っており、ストッパー５と同様に磁性材料によって形成される。この板ばね１２としては、円形板状体の中央部をスパラル状に切断して得られる渦巻き板ばねが好ましく使用できる。その理由は、このような渦巻き板ばねは製造が簡単であることから低コストで得られる、板厚が一定の板状体を同じ渦巻き幅で切断することにより半径方向の弾性力を同じにすることができ、かつこの渦巻き幅を変えることによって弾性力を加減できる、外ケースの外側から磁石を作用させると、磁力が板ばねの全体に満遍なく働き弾性力を効率的に軽減できる、および圧縮変形したとき厚さを板ばねの板厚にすることができるので収納スペースを縮小できる、などの効果が得られるからである。
【００２９】
しかし、板ばね１２は、例えば図３に示すようにドーナツ状の板状体を周縁部を残して放射状に切断して得られる板ばねであってもよい。この板ばねの場合、弾性力がばね片の断面積に比例するので、ばね片の弾性力を半径方向にできるだけ一定にするには、板厚を周縁方向に向かって小さくするかあるいはばね片の半径方向の幅をできるだけ同じにすることが好ましい。
【００３０】
一方、外ケース３は非磁性材料で形成されるのが好ましい。もちろん、係止部材６や内ケース４等も非磁性材料で形成してもよい。このように外ケース３を非磁性材料で形成することにより、係止部材６を係止しているストッパー５を磁石の磁力で開放させる際、磁石を外ケース３に近づけても磁力が外ケース３に実質的に作用しないようにできる。このことは、磁石でロックを開放させる場合には重要である。この非磁性材料としては、例えば１８−８ステンレス鋼、真鍮、亜鉛、アルミニウムなどの金属が強度や製造加工のしやすさの面から好ましく使用でき、なかでも真鍮が好ましい。外ケース３は、これらの材料からプレス加工によって製造できる。
【００３１】
図４は、雌ホック１と雄ホック２の取り外しに使用する磁石８を分解して示したものである。磁石８は雌ホック１と雄ホック２のロックを解除するための鍵の機能を有しており、使い勝手と保管などの利便性をよくするために、通常はホルダー３０に取り付けて使用される。本発明において、磁石８はこれに限定されないで、所定の強さの磁力さえ持っていればよく、留め具の形体、大きさ、用途などに関係なく共用できる利点を有している。また、所定の強度の磁力が得られるものであれば、永久磁石、電磁石のいずれでもよいが、永久磁石の方が磁石自体の構造が簡単でかつ電源を必要としないために軽量化と小型化に適し、特に携帯の面からも優れている。
【００３２】
以上、本発明の好ましい実施の形態について説明したが、板ばねを除いて雄ホックと雌ホックの構成は適宜変えられる。例えば、図５は他の好ましい係止部材を分解して俯瞰的に示したものである。この係止部材は、コップ状体２２の側壁に複数（本例では４個）のボール支持孔２３を周方向に等間隔で設け、該ボール支持孔２３にボール２４を保持させて雌ホック内に組み込むことによって係止部が形成される。ボール支持孔２３に保持されたボール２４は、ボール支持孔２３から出没可能になっており、雄ホックのフック部に契合するときはその一部がコップ状体２０の内側に突出してフック部の係止溝に契合し、この状態で外側をストッパー（不図示）で係止される。そして、この係止が例えば磁石によって開放されると、ボール支持孔２９内に没入可能となるために、雄ホックのフック部を外すことができる。
【００３３】
上記において、ボール２４がボール支持孔２３からコップ状体２２の内側に離脱するのを防止するために、ボール支持孔２３の径はボール２４の球径より小さく形成される。その際、ボール２４のコップ状体２２の内側からの突出量は、雌ホックと雄ホックとが確実に留められるようにボール支持孔２３の大きさを変えることによって調節される。
【００３４】
図６は、さらに別の係止部材を示す。この係止部材は、図６に示すようにばね片２８を有するキャップ状体２７をなしている。かかるキャップ状体２７は、切込み２９を入れた弾性材料の板状体をプレス加工することによって製造できる。これにより、ばね片２８は弾性変形し、その先端部には係止部１７が設けられる。具体的には、係止部１７はばね片２８の先端部を曲げ加工してその縦断面が雄ホックの前記係止溝９に見合う彎曲部に形成し、該彎曲部を雄ホックのフック部に契合しやすくするために内側（雄ホックのフック部側）に突出させることが好ましい。
【００３５】
上記係止部材はこのまま雌ホックに適用することも可能であるが、上記係止部１７に図７に示すような弾性リング２５を嵌合することが好ましい。図８は弾性リング２５が係止部１７に嵌合された係止部材の断面模式図である。このように係止部材の係止部１７に弾性リング２５を併用することにより、ばね片１６の弾性力が弱くても弾性リング２５でこれを補完できると共に、係止部１７が補強されることによって雄ホックのフック部との着脱および係止を円滑かつ確実にできる。
【００３６】
次に、図１の留め具の使用方法について説明する。雄ホック２と留められる前の雌ホック１は、係止部材６がばね部材１５により、またストッパー５が板ばね１２によってそれぞれ付勢され、係止部材６の係止部すなわちリングばね１０の外側がストッパー５で係止された状態で待機している。この状態の雌ホック１の係止部材６に雄ホック２のフック部７を押し込むと、最初にフック部７の先端部が係止部材６の内側に突出しているリングばね１０に当接する。そして、フック部７を更に押し込むと、係止部材６がフック部７によってばね部材１５に抗して押し込まれる結果、リングばね１０はストッパー５の凹み部１６の位置に移動し、ストッパー５の係止状態から開放されて横方向に拡開できる状態となる。これにより、係止部材６の内側に突出しているリングばね１０は、フック部７の先端部の傾斜面で弾性的に押し広げられ、押し込みの終時にはフック部７の係止溝９に契合される。
【００３７】
このように係止部材６の板ばね１２がフック部７の係止溝９に契合した状態で雌ホック１と雄ホック２とを取り外そうとすると、係止部材６はフック部７によって最初の待機位置に引き戻される。その結果、係止部材６のコップ状体２０の外側に出ているリングばね１０の大径部１９（図２参照）が外側からストッパー５によって係止されるため、フック部７の係止溝９に契合しているリングばね１０の小径部１８は横方向の拡開が拘束され、雌ホック１と雄ホック２とは取り外しことができないロックされた状態となる。係止部材６を係止しているストッパー５には板ばね１２が付勢しているので、この状態は、ストッパー５による係止部材６の係止が開放されるまで保持される。図１は、係止部材６がストッパー５によって係止された状態である。
【００３８】
この雌ホック１と雄ホック２の取り外しは、図１に鎖線で示すように雌ホック１の外側に磁石８を近づけることしより可能となる。すなわち、雌ホック１に磁石８を外ケース３の外側から近づけると、磁性材料からなるストッパー５および板ばね１２は磁石８の磁力によって磁石側に引き寄せられる。ストッパー５は板ばね１２の弾性力に抗して磁石側に動く。これにより、それまで係止部材６を係止していたストッパー５は、係止部材６のリングばね１０から外れて係止を開放する。この係止の開放により、係止部材６のリングばね１０は外方向に自由に広がることができる状態になるため、雌ホック１と雄ホック２とを引き離すと、雄ホック２のフック部７が係止部材６のリングばね１０を押し広げながら離脱し、両者を外すことができる。このため、板ばね１２の弾性力は、磁石８の磁力より弱いことが好ましい。
【００３９】
上記において、板ばね１２を磁性材料で形成し、しかも磁石８の磁力が最も効率よく作用する板状体になっているため、磁力は板ばね１２の全面に効率よく作用し、板ばね１２を磁石側に引き寄せ変形させる。この板ばね１２の変形は、自身の弾性力を弱めるように作用する。すなわち、板ばね１２の弾性力の一部または全部が磁力によって相殺されるため、ストッパー５に対する付勢力が弱められる。その結果、ストッパー５の係止部材６に対する係止の開放を磁石８により円滑かつ確実に実施できる。このような板ばね効果は、図５および図６に示す係止部材においても全く同様に得られる。
【００４０】
本発明において板ばねは、このように雌ホックと雄ホックのロックを磁石で開放させる場合に優れた効果を発揮するが、ロックを磁石以外の手段で開放させる留め具、例えばロックを機械的に開放させる留め具においても、ばねを薄く簡略にできることによって、留め具を小型化および軽量化できる。
【００４１】
図９は、本発明の留め具３２を適用した介護用ねまき３３を示し、該介護用ねまき３３の例えば開閉スライダ３４の終端部の留め具として使用した場合である。開閉スライダ３４を閉じてその終端部を本発明の留め具３２で留めておくと、開閉スライダ３３は本発明の留め具の係止を磁石を用いて開放しないかぎり開けられない。また、図１０は本発明の留め具３２を手袋３５の離脱防止用に適用した場合であり、図１１は本発明の留め具３２をかばん３６（ケース等を含む）の簡易ロック付き留め具として適用した場合である。いずれの場合も磁石で係止を開放しないと手袋３５を手から離脱したり、かばん３６の蓋を開けることができない。さらに、図示はしないが本発明の留め具は、医療用、日用品用などで簡単なロックが必要なその他の物品の留め具にも応用できる。
【産業上の利用可能性】
【００４２】
本発明に係わる留め具は、板ばねの使用により小型化、軽量化でき、特に磁石の磁力を利用して留め具を外せる簡易ロック付き留め具であるときは、携帯用の小さな磁石でロックを外すことができるので、介護用ねまきの留め具、手袋の外し防止用留め具、かばんの簡易留め具などに適用できる。
【図面の簡単な説明】
【００４３】
【図１】本発明に係わる好ましい留め具の断面説明図。
【図２】図１の留め具の分解図。
【図３】本発明の他の板ばねを示し、（ａ）は平面図、（ｂ）は（ａ）のＡ−Ａ部の断面図。
【図４】磁石の分解斜視図。
【図５】本発明の他の好ましい実施形態に係る係止部材の分解斜視図。
【図６】本発明の別の係止部材の斜視図。
【図７】図６の係止部材に使用する弾性リングの斜視図。
【図８】図６の係止部材に図７の弾性リングを装着したときの断面説明図。
【図９】本発明に係わる留め具を使用した介護用ねまきの正面図。
【図１０】本発明に係わる留め具を使用した手袋の正面図。
【図１１】本発明に係わる留め具を使用したかばんの正面図。
【符号の説明】
【００４４】
１：雌ホック              ２：雄ホック              ３：外ケース
４：内ケース              ５：ストッパー            ６：係止部材
７：フック部              ８：磁石                  ９：係止溝
１０：リングばね        １１：布服等              １２：板ばね
１３：保持部            １４：留め鋲部            １５：ばね部材
１６：凹み部            １７：係止部              １８：小径部
１９：大径部            ２０：コップ状体          ２１：切欠き孔
２２：コップ状体        ２３：ボール支持孔        ２４：ボール
２５：弾性リング        ２７：キャップ状体        ２８：ばね片
２９：切込み            ３０：磁石ホルダー        ３２：本発明の留め具
３３：介護用ねまき      ３５：手袋                ３６：かばん
【図１】
2007301164.tif 000003
【図２】
2007301164.tif 000004
【図３】
2007301164.tif 000005
【図４】
2007301164.tif 000006
【図５】
2007301164.tif 000007
【図６】
2007301164.tif 000008
【図７】
2007301164.tif 000009
【図８】
2007301164.tif 000010
【図９】
2007301164.tif 000011
【図１０】
2007301164.tif 000012
【図１１】
2007301164.tif 000013